(57)【特許請求の範囲】
【請求項１】
車両に搭載され、前記車両に係わる画像を表示画面に表示し、前記画像に含まれる意匠を視認者に立体視させる車両用表示装置であって、
前記表示画面を有し、前記視認者の左目に視認される左目用画像と右目に視認される右目用画像とを前記表示画面に表示することにより、前記表示画面の垂直方向に沿って当該表示画面からずれた位置に前記意匠を知覚させ、この意匠につき前記視認者に知覚される位置の前記表示画面に対する仮想のずれを増減可能な表示手段と、
前記車両に搭載された機関を始動させる始動信号を検出する検出部を有し、且つ、前記視認者につき、前記表示画面から視線を外した状態が所定時間を越えて継続した後、当該視線を前記表示画面に向ける視線移動の有無を推定する視線推定手段と、
前記検出部によって前記始動信号が検出されたことに基づいて、前記表示画面に対する前記意匠の仮想のずれを次第に増加させる一連の前記画像を連続して表示するよう前記表示手段を制御する表示制御手段と、を備え、
前記表示制御手段は、
前記視線推定手段によって前記視線移動が有ると推定されたことに基づいて、仮想のずれを次第に増加させる前記一連の画像を連続して表示するよう前記表示手段を制御し、
前記視認者が前記表示画面から視線を外し、再び前記表示画面に当該視線を向けるまでに要した時間が前記所定時間以下であった場合には、前記一連の画像を前記表示手段に表示させる制御を行わないことを特徴とする車両用表示装置。
【請求項２】
前記表示制御手段は、前記視線移動が有ると推定されたことに基づいて、前記表示画面に連続して表示させる前記一連の画像につき、前記意匠の仮想のずれを消失させた状態から次第に増加させることを特徴とする請求項１に記載の車両用表示装置。
【請求項３】
前記表示手段は、前記一連の画像を表示した後に、前記車両に係わる情報を示す情報画像を前記表示画面に表示し、
前記一連の画像にて仮想のずれを次第に増加された前記意匠は、前記情報画像に継続して含まれることを特徴とする請求項１又は２に記載の車両用表示装置。
【請求項４】
前記表示手段は、前記一連の画像にて前記意匠の仮想のずれを次第に増加させる際に、前記車両に係わる情報を示す情報画像を、前記一連の画像とは別に前記表示画面に表示することを特徴とする請求項１又は２に記載の車両用表示装置。
【請求項５】
前記視線推定手段は、前記検出部によって前記始動信号が検出されたことに基づいて、前記視線移動が有ると推定する推定部、を有することを特徴とする請求項１〜４のいずれか一項に記載の車両用表示装置。
【請求項６】
前記検出部は、前記視認者が前記車両に乗車する際の動作を示す乗車信号を検出し、
前記視線推定手段は、前記検出部によって前記乗車信号が検出されたことに基づいて、前記視線移動が有ると推定する推定部、を有することを特徴とする請求項１〜５のいずれか一項に記載の車両用表示装置。
【請求項７】
前記視線推定手段は、
前記視認者の目を含む範囲を撮影した撮影画像を取得する画像取得部と、
前記画像取得部によって取得された前記撮影画像から前記視認者の視線の向く視線方向を解析する画像解析部と、
前記画像解析部によって解析される前記視線方向が、予め規定された前記所定時間以上、前記表示画面から外れた状態から前記表示画面に向けられたことに基づいて、前記視線移動が有ると推定する推定部と、
を有することを特徴とする請求項１〜６のいずれか一項に記載の車両用表示装置。
【発明の詳細な説明】
【技術分野】
【０００１】
本発明は、車両に搭載され、車両に係わる画像を表示画面に表示し、この画像に含まれる意匠を視認者に立体視させる車両用表示装置に関する。
【背景技術】
【０００２】
従来、例えば、特許文献１〜３に開示のように、視認者に注意喚起を行う警告画像やナビゲーション装置の矢印画像等、立体視させる意匠を含んだ画像によって視認者に車両の情報を呈示する車両用表示装置が知られている。これら特許文献１〜３に開示の車両用表示装置では、視差分割方式により立体表示を可能とする液晶ディスプレイ等が用いられている。詳しく説明すると、視差分割方式の液晶ディスプレイは、視認者の左目に視認される左目用画像と右目に視認される右目用画像とを表示画面に表示する。視認者は、左右の画像の付与された視差により、表示画面の垂直方向に沿って当該表示画面からずれた位置に、意匠を立体的に知覚することができる。
【０００３】
このような特許文献１〜３に開示の車両用表示装置において、意匠を立体視している際の視認者の焦点は、表示画面に合っている。一方で、仮想の意匠を視認者が知覚する位置は、表示画面からずれている。このように焦点位置と知覚位置とがずれていることに起因して、視認者は、意匠を立体視することができずに、左目用画像と右目用画像とを個別の画像であると認識してしまい得る。
【０００４】
そこで、特許文献３に開示の車両用表示装置では、視認者の着座等が検出されたことに基づいて、車両に係わる情報を示し且つ立体視させる意匠を含む画像を表示するよりも前に、デモンストレーション用の立体画像が表示される。このようなデモンストレーション用の立体画像が表示されることにより、視認者は、意匠の立体視に目を慣らすための機会を得る。
【先行技術文献】
【特許文献】
【０００５】
【特許文献１】特開２００７−６５３１６号公報
【特許文献２】特開２００１−２１８３６号公報
【特許文献３】特開２００５−６７５１５号公報
【発明の概要】
【発明が解決しようとする課題】
【０００６】
さて、特許文献３に開示の車両用表示装置では、単にデモンストレーション用の立体画像が表示されるだけである。即ち、立体画像において、立体視される意匠の表示画面に対する仮想のずれは、一定のままである。故に、デモンストレーション用の立体画像に視線を向けた直後の視認者は、当該立体画像を立体視できずに、この立体画像の左目用画像と右目用画像とを個別の画像であると認識してしまうおそれがあった。このように、立体視させる意匠を視認者に立体的に認識され易く呈示することは、特許文献３に開示の車両用表示装置でも困難であった。
【０００７】
本発明は、上記問題点に鑑みてなされたものであって、その目的は、立体視させる意匠を、視認者に立体的に認識され易く呈示することができる車両用表示装置を提供することである。
【課題を解決するための手段】
【０００８】
上記目的を達成するために、請求項１に記載の発明は、車両に搭載され、車両に係わる画像を表示画面に表示し、画像に含まれる意匠を視認者に立体視させる車両用表示装置であって、表示画面を有し、視認者の左目に視認される左目用画像と右目に視認される右目用画像とを表示画面に表示することにより、表示画面の垂直方向に沿って当該表示画面からずれた位置に意匠を知覚させ、この意匠につき視認者に知覚される位置の表示画面に対する仮想のずれを増減可能な表示手段と、車両に搭載された機関を始動させる始動信号を検出する検出部を有し、且つ、視認者につき、表示画面から視線を外した状態が所定時間を越えて継続した後、当該視線を表示画面に向ける視線移動の有無を推定する視線推定手段と、検出部によって始動信号が検出されたことに基づいて、表示画面に対する意匠の仮想のずれを次第に増加させる一連の画像を連続して表示するよう表示手段を制御する表示制御手段と、を備え、表示制御手段は、視線推定手段によって視線移動が有ると推定されたことに基づいて、仮想のずれを次第に増加させる一連の画像を連続して表示するよう表示手段を制御し、視認者が表示画面から視線を外し、再び表示画面に当該視線を向けるまでに要した時間が所定時間以下であった場合には、一連の画像を表示手段に表示させる制御を行わないことを特徴とする。
【０００９】
この発明によれば、視認者が視線を表示画面から外した状態を継続した後、この視線を表示画面に向けることにより、視線推定手段は、このような表示画面への視線移動が有ることを推定する。こうした視認者の視線移動が有ると推定されたことに基づいて、表示制御手段は、表示画面に対する意匠の仮想のずれを次第に増加させる一連の画像を連続して表示するよう表示手段を制御する。故に、表示画面に視線を向けた視認者は、連続して表示される一連の画像において、次第に増加する意匠の仮想のずれを継続的に視認することとなる。以上により、車両用表示装置は、左目用及び右目用画像によって表示画面からずれた位置に意匠を知覚させる立体視に、視認者の目を慣らさせることができるので、左目用画像と右目用画像とが視認者に個別の画像であると認識される事態を抑制し得る。こうして車両用表示装置は、立体視させる意匠を視認者に立体的に認識され易く呈示することができる。
【００１０】
請求項２に記載の発明では、表示制御手段は、視線移動が有ると推定されたことに基づいて、表示画面に連続して表示させる一連の画像につき、意匠の仮想のずれを消失させた状態から次第に増加させることを特徴とする。
【００１１】
この発明によれば、表示画面に連続して表示させる一連の画像につき、意匠の仮想のずれを消失させた状態から次第に増加させる。故に、視認者は、表示画面に視線を向けた直後、二次元で表示される意匠を視認するので、左目用画像と右目用画像とが視認者に個別の画像であると認識することはない。そして視認者は、表示画面上から意匠が次第にずれていく様子を、継続的に目視できる。故に、視認者は、立体視に確実に目を慣らし得る。しがって、車両用表示装置は、意匠の立体視の容易性を、さらに向上させることができる。
【００１２】
請求項３に記載の発明では、表示手段は、一連の画像を表示した後に、車両に係わる情報を示す情報画像を表示画面に表示し、一連の画像にて仮想のずれを次第に増加された意匠は、情報画像に継続して含まれることを特徴とする。
【００１３】
この発明によれば、仮想のずれが次第に増加される一連の画像に含まれる意匠は、当該一連の画像の後に表示画面に表示される情報画像に、継続して含まれる。故に、一連の画像の意匠によって立体視に慣らされた視認者は、車両に係わる情報を示す情報画像に含まれる意匠を、違和感なく立体視し始めることができる。以上のように、一連の画像から情報画像への移行を滑らかに行うことにより、車両用表示装置は、情報画像にて立体視させる意匠をさらに認識容易に視認者に呈示することができる。
【００１４】
請求項４に記載の発明では、表示手段は、一連の画像にて意匠の仮想のずれを次第に増加させる際に、車両に係わる情報を示す情報画像を、一連の画像とは別に表示画面に表示することを特徴とする。
加えて、請求項５に記載の発明では、視線推定手段は、検出部によって始動信号が検出されたことに基づいて、視線移動が有ると推定する推定部、を有することを特徴とする。
【００１５】
また、請求項６に記載の発明では、検出部は、視認者が車両に乗車する際の動作を示す乗車信号を検出し、視線推定手段は、検出部によって乗車信号が検出されたことに基づいて、視線移動が有ると推定する推定部、を有することを特徴とする。
【００１６】
請求項５の発明のように、車両に搭載された機関を始動させる操作を視認者が車両に対して行った後には、当該視認者の視線は、表示画面に向けられる蓋然性が高い。また、請求項６の発明のように、車両に乗車する際の動作を視認者が車両に対して行った後にも、当該視認者の視線は、表示画面に向けられる蓋然性が高い。
【００１７】
故に、機関を始動させる信号及び乗車する際の動作を示す信号が検出部によって検出されたことに基づくことで、推定部は、視認者の表示画面への視線移動を、高い確実性をもって間接的に推定することができる。故に、車両用表示装置は、表示画面に対する意匠の仮想のずれが次第に増加していく様子を、表示画面に視線を向けた視認者に確実に視認させることができる。以上により、視認者の目が立体視に確実に慣らされ得るので、意匠の立体視を容易にする効果発揮の確実性は、さらに向上する。
【００１８】
請求項７に記載の発明では、視線推定手段は、視認者の目を含む範囲を撮影した撮影画像を取得する画像取得部と、画像取得部によって取得された撮影画像から視認者の視線の向く視線方向を解析する画像解析部と、画像解析部によって解析される視線方向が、予め規定された時間以上、表示画面から外れた状態から表示画面に向けられたことに基づいて、視線移動が有ると推定する推定部と、を有することを特徴とする。
【００１９】
この発明のように、視認者の目を含む範囲を撮撮した撮影画像を画像解析部によって解析することにより、視認者の視線の向く視線方向は、検出可能である。故に、画像解析部によって解析される視線方向が予め規定された時間以上表示画面から外れた状態から表示画面に向けられたことに基づくことにより、推定部は、視認者の表示画面への視線移動を、高い確実性をもって直接的に推定することができる。以上により、車両用表示装置は、表示画面に視線を向けた視認者に、仮想のずれが次第に増加する意匠を、適宜視認させることができる。したがって、車両用表示装置は、意匠の立体視を容易にする効果を確実に発揮することができる。
【図面の簡単な説明】
【００２０】
【図１】本発明の第一実施形態による車両用表示装置の構成を説明するための図である。
【図２】本発明の第一実施形態による車両用表示装置の表示画面に表示される情報画像を示す図である。
【図３】液晶ディスプレイが表示画面に表示されるアイコン等の意匠を視認者に裸眼立体視させる原理を説明するための図である。
【図４】視認者が実際の視認対象物を立体視する原理を説明するための図である。
【図５】本発明の第一実施形態による車両用表示装置において、表示画面に表示される画像の変化を説明するための図である。
【図６】イグニッションがオン状態とされてからの経過時間と、ロゴマークの飛び出し量との相関を説明するための図である。
【図７】本発明の第一実施形態による車両用表示装置において、情報処理回路により実施される処理が示されるフローチャートである。
【図８】本発明の第二実施形態による車両用表示装置の構成を説明するための図である。
【図９】本発明の第二実施形態による車両用表示装置の表示画面に表示される情報画像を示す図である。
【図１０】本発明の第二実施形態による車両用表示装置において、表示画面に表示される画像の変化を説明するための図である。
【図１１】運転者の知覚上において、図１０Ａに示すリングを矢印ＸＩ方向に沿って矢視したと仮定した場合の矢視図である。
【図１２】運転者の知覚上において、図１０Ｂ及び図１０Ｃに示すリングを矢印ＸＩＩ方向に沿って矢視したと仮定した場合の矢視図である。
【図１３】運転者の知覚上において、図１０Ｄに示すリングを矢印ＸＩＩＩ方向に沿って矢視したと仮定した場合の矢視図である。
【図１４】本発明の第二実施形態による車両用表示装置において、情報処理回路により実施される処理が示されるフローチャートである。
【図１５】本発明の第三実施形態による車両用表示装置において、表示画面に表示される画像の変化を説明するための図である。
【図１６】運転者の知覚上において、図１５Ａに示すクロスを矢印ＸＶＩ方向に沿って矢視したと仮定した場合の矢視図である。
【図１７】運転者の知覚上において、図１５Ｂに示すクロスを矢印ＸＶＩＩ方向に沿って矢視したと仮定した場合の矢視図である。
【発明を実施するための形態】
【００２１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００２２】
（第一実施形態）
図１に示される本発明の第一実施形態による車両用表示装置１００は、運転席に表示画面３１を向けた姿勢にて、車両の室内に設置されている。車両用表示装置１００は、図２に示されるような情報画像５０を、表示画面３１に表示する。まず、図２に基づいて、液晶ディスプレイ３０によって表示される情報画像５０の詳細を説明する。
【００２３】
情報画像５０は、スピードメータ表示部５４及びパワメータ表示部５５等によって構成されている。スピードメータ表示部５４は、車両に係わる情報として車両の現在の走行速度を示す。スピードメータ表示部５４は、デジタル表示部６１、目盛り６２、数字６３、及び指針６４等の意匠を組み合わせることによって形成されている。パワメータ表示部５５は、車両に係わる情報として走行用の機関の現在の出力を示す。スピードメータ表示部５４は、目盛り６２、数字６３、及び指針６４等の意匠を組み合わせることによって形成されている。
【００２４】
次に、車両用表示装置１００の構成を、図１に基づいて説明する。車両用表示装置１００は、液晶ディスプレイ３０、ディスプレイ制御回路１０、及び情報処理回路２０を備えている。液晶ディスプレイ３０は、ディスプレイ制御回路１０と接続されており、図２に示されるような情報画像５０に含まれるデジタル表示部６１、目盛り６２、及び指針６４等の意匠を、運転席に着座する視認者としての運転者に、裸眼立体視させることができる。液晶ディスプレイ３０は、図３に示されるように、液晶パネル３５及びレンチキュラレンズ３３等によって構成されている。
【００２５】
液晶パネル３５には、カラー表示の可能な複数の画素が表示画面３１の鉛直方向及び水平方向に沿って配列されている。レンチキュラレンズ３３は、液晶パネル３５に沿って配置されており、表示画面３１の水平方向に並ぶ複数のシリンドリカルレンズ等によって構成されている。レンチキュラレンズ３３は、運転者の左目ＬＥ及び右目ＲＥのそれぞれに、異なる画素から出射された光が到達するように、これらの画素から出射された光を屈折させる。以上により、液晶パネル３５の複数の画素は、運転者の左目ＬＥ及び右目ＲＥのうち実質的に左目ＬＥのみから視認される左目用画素３６と、実質的に右目ＲＥのみから視認される右目用画素３７とに分けられる。
【００２６】
ここで、図４に基づいて、実際の視認対象物６９を視認者が立体視する仕組みを説明する。視認者は、左右の目ＬＥ，ＲＥによって視認対象物６９を異なる方向から視認する。故に、左目ＬＥにより視認した視認対象物６９の像６７と右目ＲＥにより視認した視認対象物６９の像６８との間に視差が生じる。こうした視差により、視認者は視認対象物６９を立体的に知覚する。また、左目ＬＥから視認対象物６９に向かう視線と右目ＲＥからの視認対象物６９に向かう視線とのなす角度が、視認者の輻輳角θｃである。輻輳角θｃは、視認者が視認対象物６９を知覚する知覚位置ＰＰに関連しており、具体的には、輻輳角θｃが大きくなるほど、視認者は、視認対象物６９を近くに知覚する。そして、実際の視認対象物６９を視認している状態では、左右の目ＬＥ，ＲＥの焦点は、視認対象物６９に合っている。故に、実際の視認対象物６９の立体視においては、左右の目ＬＥ，ＲＥから焦点位置ＦＰまでの距離Ｄｅｆと、左右の目ＬＥ，ＲＥから知覚位置ＰＰまでの距離Ｄｅｐとは、実質的に一致している。
【００２７】
こうした実際の視認対象物６９を立体視する仕組みを踏まえて、上述の液晶ディスプレイ３０が、運転者に意匠６０を裸眼立体視させる仕組みを、図３に基づいて詳細に説明する。尚、説明を分り易くするために、図２の立体視されるデジタル表示部６１、目盛り６２、及び指針６４を、図３の情報画像５０では、単純な立方体状の意匠６０として図示する。
【００２８】
液晶パネル３５は、左目用画素３６及び右目用画素３７に、それぞれ左目用画像５１及び右目用画像５２を表示させる。左目用画像５１及び右目用画像５２に含まれる各意匠６０には、視差が再現されている。液晶ディスプレイ３０は、運転者の左目ＬＥに左目用画像５１を視認させると共に、右目ＲＥに右目用画像５２を視認させる。すると、左目ＬＥにより視認した意匠６０の像６７と右目ＲＥにより視認した意匠６０の像６８との間に、運転者は視差を知覚する。故に、運転者は、表示画面３１の垂直方向に沿って当該表示画面３１からずれた知覚位置ＰＰに、意匠６０の立体像を知覚する。
【００２９】
さらに、液晶ディスプレイ３０は、左目用画像５１及び右目用画像５２の各意匠６０に付与される視差を調整することにより、意匠６０の知覚位置ＰＰの表示画面３１に対する仮想のずれ（以下、「飛び出し量Ｄｇ」という）を、増減させることができる。加えて、液晶ディスプレイ３０は、左目用画素３６及び右目用画素３７に同一の画像を表示することにより、二次元の意匠６０を表示することができる。
【００３０】
図１に示されるように、ディスプレイ制御回路１０は、情報画像５０等の描画処理を行うプロセッサ、当該描画処理に用いられる情報が格納されたフラッシュメモリ、及び描画の作業領域として機能するグラフィックＲＡＭを有している。加えて、ディスプレイ制御回路１０は、情報処理回路２０及び液晶ディスプレイ３０のそれぞれと情報をやり取りするインターフェースを有している。ディスプレイ制御回路１０は、情報処理回路２０から取得する情報に基づいて情報画像５０を描画する。そして、ディスプレイ制御回路１０は、描画した情報画像５０の画像データを液晶ディスプレイ３０に出力し、当該情報画像５０を表示画面３１に表示させる。
【００３１】
情報処理回路２０は、各種の演算処理を行うプロセッサ、当該演算処理に用いられるプログラム等が格納されたフラッシュメモリ、演算の作業領域として機能するＲＡＭを有している。加えて、情報処理回路２０は、車内ＬＡＮ７０及びディスプレイ制御回路１０のそれぞれと情報をやり取りするインターフェースを有している。情報処理回路２０は、車両に係わる情報として、車両の現在の走行速度を示す速度情報、及び車両に搭載された機関の現在の出力を示す出力情報等を、車内ＬＡＮ７０を通じて取得する。尚、本実施形態では、電動モータをガソリンエンジン等の内燃機関と組み合わせてなる、所謂ハイブリッド方式の機関が、車両に搭載されているものとする。
【００３２】
情報処理回路２０は、所定のプログラムを実行することにより、機能ブロックとしての検出部２４及び推定部２５を有する。検出部２４は、車内ＬＡＮ７０に出力される多数の情報を示す信号のうちから、機関を始動させる始動信号を検出する。推定部２５は、検出部２４によって始動信号が検出されたことに基づいて、一連のオープニング画像５６（図５参照）の表示を指示する指令信号を、ディスプレイ制御回路１０に出力する。
【００３３】
以上の構成において、上述の始動信号の検出に基づき表示画面３１に表示される一連のオープニング画像５６の詳細を、図５に基づいて説明する。
【００３４】
図５Ａにて示されるオープニング画像５６では、表示画面３１の中央に、車両に係わるロゴマーク６６が意匠として表示される。ロゴマーク６６は、飛び出し量Ｄｇ（図３参照）を実質的に有しない、仮想のずれを消失させた二次元の画像部として表示され、図５Ｂに示されるように、その飛び出し量Ｄｇを次第に増加させる。具体的に、ロゴマーク６６の飛び出し量Ｄｇは、図６に示されるように、ゼロから最大まで２秒程度で変化する。特定の時間あたりにおける飛び出し量Ｄｇの増加分は、時間の経過と共に増大する。故に、運転者の知覚上において、図５Ｂに示されるロゴマーク６６は、運転者に向かって加速しつつ移動する。
【００３５】
ロゴマーク６６は、最大の飛び出し量Ｄｇ（図３参照）にて所定の時間表示された後、図５Ｃに示されるように、飛び出し量Ｄｇを次第に減少させつつ、表示画面３１から消える。このようなロゴマーク６６のフェードアウトにあわせるようにして、各メータ表示部５４，５５の各目盛り６２となる画像部が、表示画面３１の外周から規定の位置へと移動する。
【００３６】
表示画面３１の外周からフェードインした各目盛り６２が規定の位置に到達すると、図５Ｄに示されるように、スピードメータ表示部５４のデジタル表示部６１、及び各メータ表示部５４，５５の各数字６３が表示される。このとき、デジタル表示部６１の飛び出し量Ｄｇ（図３参照）は最大に設定され、各目盛り６２の飛び出し量Ｄｇはデジタル表示部６１の半分程度に設定されている。そして、図５Ｅに示されるように、現在の車両の情報を反映した位置に指針６４が表示されることにより、各メータ表示部５４，５５、ひいては情報画像５０は形成される。各指針６４は、各目盛り６２よりも僅かに飛び出し量Ｄｇを大きく設定されており、運転者の知覚上にて、各目盛り６２よりも運転者側を移動する。
【００３７】
以上の図５Ａ等に示される一連のオープニング画像５６は、上述したように、運転者が車両に搭乗して機関を始動させる操作を実施することにより、表示される。ここで一般に、機関を始動させる操作を運転者が行った後には、当該運転者の視線は、表示画面３１を外れた領域から、表示画面３１に向けられる蓋然性が高い。故に、始動信号が検出されたことに基づくことで、推定部２５（図１参照）は、運転者の視線につき、表示画面３１から外した状態を継続した後、表示画面３１に向ける視線移動の有無を間接的に推定することができる。機関を始動させる操作後に表示画面３１に視線を向けた運転者は、表示画面３１への視線移動が有ると推定されたことに基づき表示されるオープニング画像５６を目視する。そして、運転者は、オープニング画像５６において次第に飛び出し量Ｄｇ（図２参照）の増加するロゴマーク６６を、継続的に視認することとなる。
【００３８】
ここまで説明した車両用表示装置１００について、表示画面３１にオープニング画像５６及び情報画像５０を順に表示する処理を、図７に基づいて詳細に説明する。図７に示される処理は、車内ＬＡＮ７０に出力された始動信号を情報処理回路２０が取得することにより、当該回路２０によって開始される。
【００３９】
Ｓ１０１では、オープニング画像５６の表示の開始を指示する指令信号をディスプレイ制御回路１０に出力し、Ｓ１０２に進む。ディスプレイ制御回路１０は、Ｓ１０１にて情報処理回路２０から出力された指令信号を取得することにより、一連のオープニング画像５６を描画して、液晶ディスプレイ３０に連続で表示させる。
【００４０】
Ｓ１０２では、情報画像５０の表示の開始を指示する指令信号をディスプレイ制御回路１０に出力すると共に、車内ＬＡＮ７０を通じて取得した速度情報及び出力情報をディスプレイ制御回路１０に出力し、Ｓ１０３に進む。ディスプレイ制御回路１０は、Ｓ１０２にて情報処理回路２０から出力された指令信号を取得することにより、描画する画像をオープニング画像５６から情報画像５０に切り換える。そして、ディスプレイ制御回路１０は、Ｓ１０２にて情報処理回路２０から出力された速度情報及び出力情報に対応した各メータ表示部５４，５５を含む情報画像５０を描画して、液晶ディスプレイ３０に表示させる。
【００４１】
Ｓ１０３では、車内ＬＡＮ７０に出力される機関の停止を指示する停止信号に基づいて、車両のイグニッションがオフ状態にされたか否かを判定する。Ｓ１０３にて、イグニッションのオン状態が継続されていると判定した場合、Ｓ１０３の判定を繰り返す。これにより、ディスプレイ制御回路１０は、情報処理回路２０を通じて取得する車両情報及び出力情報に対応した情報画像５０の描画を継続する。一方で、Ｓ１０３にてイグニッションがオフ状態にされたと判定した場合、Ｓ１０４に進む。
【００４２】
Ｓ１０４では、情報画像５０の表示の停止を指示する指令信号をディスプレイ制御回路１０に出力し、処理を終了する。ディスプレイ制御回路１０は、Ｓ１０４にて情報処理回路２０から出力された指令信号を取得することにより、情報画像５０の描画を中止すると共に、表示画面３１の表示が停止されるよう液晶ディスプレイ３０を制御する。
【００４３】
ここまで説明した車両用表示装置１００に用いられる液晶ディスプレイ３０では、図３に示すように、左右の目ＬＥ，ＲＥの焦点位置ＦＰは、表示画面３１に合う。一方で、知覚位置ＰＰは、焦点位置ＦＰとは異なり、表示画面３１に対してずれた位置となる。このように、液晶ディスプレイ３０による裸眼立体視では、実際の視認対象物６９（図４参照）の立体視とは違い、左右の目ＬＥ，ＲＥから焦点位置ＦＰまでの距離Ｄｅｆと左右の目ＬＥ，ＲＥから知覚位置ＰＰまでの距離Ｄｅｐとが異なる。故に、運転者は、焦点位置ＦＰを表示画面３１に合わせつつ、輻輳角θｃを調整することにより、意匠６０を裸眼立体視することとなる。そのため、表示画面３１に視線を移動させた直後等では、焦点位置ＦＰと知覚位置ＰＰとの差に起因した輻輳角θｃの調整に、運転者が対応しきれなくなり得る。このとき、各画像５１，５２は、運転者に個別の画像として認識されてしまう。
【００４４】
そこで第一実施形態による車両用表示装置１００は、次第に飛び出し量Ｄｇの増加するロゴマーク６６によって、表示画面３１からずれた位置に意匠を知覚させる立体視に、運転者の目を慣らさせる。故に、左目用画像５１と右目用画像５２とが個別の画像であるかのうように認識されてしまうことで、デジタル表示部６１、目盛り６２、及び指針６４等が運転者に二重に視認されてしまう事態は、抑制され得る。このようにして、車両用表示装置１００は、デジタル表示部６１、目盛り６２、及び指針６４等を、運転者に立体的に認識され易く呈示することができる。
【００４５】
加えて第一実施形態では、運転者は、表示画面３１に視線を向けた直後、二次元で表示されるロゴマーク６６を視認するので、左目用画像５１と右目用画像５２とを個別の画像であると認識することはない。そして、運転者は、表示画面３１上に位置する二次元状のロゴマーク６６がこの表示画面３１から飛び出してくる様子を、継続的に目視する。故に、運転者は、立体視に目を確実に慣らすことができる。したがって、車両用表示装置１００は、デジタル表示部６１、目盛り６２、及び指針６４等の立体視の容易性を、さらに向上させることができる。
【００４６】
また第一実施形態では、始動信号に基づくことで、推定部２５は、運転者の表示画面３１への視線移動を、高い確実性をもって間接的に推定することが可能である。故に、車両用表示装置１００は、ロゴマーク６６の飛び出し量Ｄｇが次第に増加していく様子を、運転者に確実に視認させることができる。以上により、運転者の目を立体視に確実に慣らさせることができるので、デジタル表示部６１、目盛り６２、及び指針６４等の立体視を容易にする効果発揮の確実性は、さらに向上する。
【００４７】
尚、第一実施形態において、ディスプレイ制御回路１０が特許請求の範囲に記載の「表示制御手段」に相当し、情報処理回路２０が特許請求の範囲に記載の「視線推定手段」に相当し、液晶ディスプレイ３０が特許請求の範囲に記載の「表示手段」に相当し、情報画像５０及びオープニング画像５６が特許請求の範囲に記載の「画像」に相当し、一連のオープニング画像５６が特許請求の範囲に記載の「一連の画像」に相当し、デジタル表示部６１、目盛り６２、指針６４、及びロゴマーク６６が特許請求の範囲に記載の「意匠」に相当する。
【００４８】
（第二実施形態）
図８〜図１４に示される本発明の第二実施形態は、第一実施形態とは別の実施形態である。図８に示される第二実施形態の車両用表示装置２００は、図９に示される情報画像２５０を表示画面３１に表示する。情報画像２５０は、目盛り６２、数字６３、及び指針６４等を組み合わせてなるスピードメータ表示部５４並びにタコメータ表示部２５５と、マルチインフォメーション表示部２５３等とによって構成されている。タコメータ表示部２５５は、車両に係わる情報として、走行用の機関における出力軸の回転速度を示す。マルチインフォメーション表示部２５３は、車両に係わる種々の警告を示す警告アイコン、及び車両の進行方向を示す矢印アイコン等を、リング２６５に組み合わせて表示する。リング２６５は、表示画面３１に対して傾斜した姿勢の円環状の意匠であって、マルチインフォメーション表示部２５３に運転者の目を惹く作用を発揮する。マルチインフォメーション表示部２５３において、各アイコン等は、リング２６５の内周側に表示される。以上の情報画像２５０において、リング２６５及び各アイコン、並びに目盛り６２及び指針６４は、立体的に知覚される意匠である。
【００４９】
図８に示される第二実施形態の車両用表示装置２００は、車内ＬＡＮ７０に加えて、カメラ２４０と接続されている。カメラ２４０は、撮像面を運転者に向けた姿勢にて、車両の室内に設置されている。カメラ２４０は、運転者の左右の目ＬＥ，ＲＥ（図３参照）を含む範囲を撮影した撮影画像２４１の画像データを、情報処理回路２０に逐次出力する。
【００５０】
情報処理回路２０は、ディスプレイ制御回路１０及び車内ＬＡＮ７０と接続されるインターフェースに加えて、カメラ２４０から画像データを取得するインターフェースを有している。情報処理回路２０は、所定のプログラムを実行することにより、画像取得部２２１及び画像解析部２２２を、検出部２４及び推定部２５に加えて、機能ブロックとして有する。画像取得部２２１は、カメラ２４０から撮影画像２４１の画像データを逐次取得する。画像解析部２２２は、画像取得部２２１によって取得された撮影画像２４１から、運転者の視線の向く視線方向を解析する。第二実施形態による検出部２４は、車内ＬＡＮ７０に出力される多数の情報を示す信号のうちから、運転者が車両に乗車する際の動作を示す乗車信号を検出する。具体的に検出部２４は、運転席に隣接するドアを開けたことを示す信号を、乗車信号として検出する。推定部２５は、検出部２４により乗車信号が検出されたことに基づいて、後述する一連のオープニング画像２５６（図１０参照）の表示を指示する指令信号を、ディスプレイ制御回路１０に出力する。さらに推定部２５は、画像解析部２２２によって解析される視線方向が、予め規定された所定の時間（例えば５分程度）以上表示画面３１から外れた状態から、再び表示画面３１に向けられたことに基づいて、後述する一連の慣らし画像２５７（図１０参照）の表示を指示する指令信号を、ディスプレイ制御回路１０に出力する。
【００５１】
以上の構成において、表示画面３１に表示される一連のオープニング画像２５６及び一連の慣らし画像２５７の詳細を、図１０〜１３に基づいて説明する。
【００５２】
図１０Ａにて示されるオープニング画像２５６では、表示画面３１の中央に、リング２６５が表示される。リング２６５は、図１１に示されるように、表示画面３１に対して軸方向を垂直に向け、且つ飛び出し量Ｄｇ（図１２参照）を実質的に有しない二次元の画像部として表示される。そして、リング２６５は、図１０Ｂ及び図１２に示されるように、飛び出し量Ｄｇを次第に増加させつつ、軸方向を表示画面３１に対し傾斜させる。
【００５３】
リング２６５の飛び出し量Ｄｇ及び傾斜が最大となった後、所定の時間（数秒程度）が経過すると、図１０Ｃに示されるように、スピードメータ表示部５４及びタコメータ表示部２５５がさらに表示される。以上により、表示画面３１には情報画像２５０が形成される。オープニング画像２５６（図１０Ｂ参照）にて飛び出し量Ｄｇを次第に増加されたリング２６５は、当該画像２５６の後に表示される情報画像２５０にも継続して含まれることとなる。
【００５４】
さらに、情報画像２５０の表示された状態にて、表示画面３１への運転者の視線移動が検出されると、図１０Ｄに示される慣らし画像２５７が表示される。慣らし画像２５７では、リング２６５は、図１３に示されるように、飛び出し量Ｄｇ（図１２参照）を一旦ゼロにされ、二次元の画像部として表示される。そして、リング２６５は、飛び出し量Ｄｇを次第に増加されることにより、図１０Ｃ及び図１２に示されるような立体視される画像部に戻る。こうして、表示画面３１は、再び情報画像２５０の表示に戻される。
【００５５】
図１０Ａ，Ｂに示される一連のオープニング画像２５６は、上述したように、運転者が車両に搭乗するために運転席側のドアを開けることにより、表示される。ここで一般に、ドアを開ける操作を運転者が行った後には、運転者は、運転席に着座する。そして、運転者の視線は、表示画面３１を外れた領域から、表示画面３１に向けられる蓋然性が高い。故に、乗車信号が検出されたことに基づくことで、推定部２５（図９参照）は、運転者の視線につき、表示画面３１から外した状態を継続した後、表示画面３１に向ける視線移動の有無を間接的に推定することができる。そして、乗車後に表示画面３１に視線を向けた運転者は、オープニング画像２５６を目視することで、当該画像２５６において次第に飛び出し量Ｄｇ（図１２参照）の増加するリング２６５を、継続的に視認することとなる。
【００５６】
さらに、図１０Ｄに示される一連の慣らし画像２５７は、上述したように、運転者の視線が所定の時間表示画面３１から外れた後、再び表示画面３１に向けられることにより、表示される。故に、運転操作を継続中に表示画面３１に視線を向けた運転者は、慣らし画像２５７を目視することにより、当該画像２５７において次第に飛び出し量Ｄｇ（図１２参照）の増加するリング２６５を継続的に視認することとなる。
【００５７】
ここまで説明した車両用表示装置２００について、表示画面３１にオープニング画像２５６、情報画像２５０、及び慣らし画像２５７を表示する処理を、図１４に基づいて詳細に説明する。図１４に示される処理は、車内ＬＡＮ７０に出力された乗車信号を情報処理回路２０が取得することにより、当該回路２０によって開始される。
【００５８】
Ｓ２０１及びＳ２０２は、第一実施形態におけるＳ１０１及びＳ１０２（図７参照）と実質的に同一である。ディスプレイ制御回路１０は、Ｓ２０１にて出力された指令信号を取得することにより、一連のオープニング画像２５６を描画して、液晶ディスプレイ３０に連続で表示させる。さらにディスプレイ制御回路１０は、Ｓ２０２にて出力された指令信号を取得することにより、描画する画像をオープニング画像２５６から情報画像２５０に切り換える。
【００５９】
Ｓ２０３では、カメラ２４０から撮影画像２４１を取得し、Ｓ２０４に進む。Ｓ２０４では、Ｓ２０３にて取得した撮影画像２４１から運転者の目、特に瞳孔の輪郭を抽出する。そして、撮影画像２４１における瞳孔の輪郭形状から、運転者の視線方向を解析し、Ｓ２０５に進む。
【００６０】
Ｓ２０５では、Ｓ２０４にて解析された視線方向に基づいて、運転者の視線方向が表示画面３１に向いているか否かを判定する。Ｓ２０５にて、視線方向が表示画面３１に向いていると判定した場合、Ｓ２１３に進む。一方で、Ｓ２０５にて、視線方向が表示画面３１に向いていないと判定した場合、Ｓ２０６に進む。
【００６１】
Ｓ２０６では、視線方向が表示画面３１から外されている時間を計測するためのカウントを開始し、Ｓ２０７に進む。Ｓ２０７及びＳ２０８では、Ｓ２０３及びＳ２０４と同様に、撮影画像２４１を取得して運転者の視線方向を解析し、Ｓ２０９に進む。Ｓ２０９では、Ｓ２０５と同様に、Ｓ２０８にて解析された視線方向に基づいて、運転者の視線方向が表示画面３１に向いているか否かを判定する。Ｓ２０９にて、視線方向が表示画面３１に向いていないと判定した場合、時間のカウントを継続しつつ、Ｓ２０７及びＳ２０８を繰り返す。一方で、Ｓ２０５にて、視線方向が表示画面３１に向いていると判定した場合、Ｓ２１０に進む。
【００６２】
Ｓ２１０では、Ｓ２０６にて開始したカウントに基づいて、表示画面３１から視線が外されていた時間が、所定の時間を超えているか否かを判定する。Ｓ２１０にて、カウントの時間が所定時間に満たない場合、Ｓ２１３に進む。一方で、Ｓ２１０にて、カウントの時間が所定時間を超えていた場合、Ｓ２１１に進む。
【００６３】
Ｓ２１１では、慣らし画像２５７の表示の開始を指示する指令信号をディスプレイ制御回路１０に出力し、Ｓ２１２に進む。ディスプレイ制御回路１０は、Ｓ２１１にて情報処理回路２０から出力された指令信号を取得することにより、一連の慣らし画像２５７を描画して、液晶ディスプレイ３０に連続で表示させる。
【００６４】
Ｓ２１２では、情報画像２５０の表示を指示する指令信号をディスプレイ制御回路１０に出力し、Ｓ２１３に進む。ディスプレイ制御回路１０は、慣らし画像２５７の終了と共に情報画像２５０の描画に切り換え、描画した情報画像２５０を液晶ディスプレイ３０に表示させる。
【００６５】
Ｓ２１３では、第一実施形態のＳ１０３（図７参照）と同様に、停止信号に基づいて車両のイグニッションがオフ状態にされたか否かを判定する。Ｓ２１３にて、イグニッションのオン状態が継続されていると判定した場合、再びＳ２０３に戻る。一方で、Ｓ２１３にてイグニッションがオフ状態にされたと判定した場合、Ｓ２１４に進む。Ｓ２１４では、第一実施形態のＳ１０４（図７参照）と同様に、情報画像２５０の表示の停止を指示する指令信号をディスプレイ制御回路１０に出力し、処理を終了する。以上により、ディスプレイ制御回路１０は、情報画像２５０の描画を中止すると共に、表示画面３１の表示が停止されるよう液晶ディスプレイ３０を制御する。
【００６６】
ここまで説明した第二実施形態によれば、飛び出し量Ｄｇの次第に増加するリング２６５によって、車両用表示装置２００は、運転者の目を立体視に慣らさせることができる。故に、リング２６５、目盛り６２、及び指針６４等が運転者に二重に視認されてしまう事態は、抑制され得る。
【００６７】
加えて第二実施形態によれば、オープニング画像２５６から表示されるリング２６５が情報画像２５０に継続して含まれるので、リング２６５によって立体視に慣れた運転者は、情報画像２５０の目盛り６２及び指針６４等を、違和感なく立体視し始めることができる。以上のように、オープニング画像２５６から情報画像２５０への移行を滑らかに行うことにより、車両用表示装置２００は、立体視させる目盛り６２及び指針６４をさらに認識容易に運転者に呈示することができる。
【００６８】
また第二実施形態によれば、乗車信号に基づくことで、推定部２５は、運転者の表示画面３１への視線移動を、高い確実性をもって間接的に推定することが可能である。故に、車両用表示装置２００は、飛び出し量Ｄｇの次第に増加するリング２６５を運転者に確実に視認させることができる。以上により、運転者の目を立体視に確実に慣らさせることができるので、目盛り６２、及び指針６４等の立体視を容易にする効果発揮の確実性は、さらに向上する。
【００６９】
さらに、運転者の視線方向は、撮影画像２４１から検出可能である。故に、第二実施形態では、視線方向に基づくことで、推定部２５は、運転者の表示画面３１への視線移動を、高い確実性をもって直接的に推定することができる。以上により、車両用表示装置２００は、運転操作を継続中に表示画面３１に視線を向けた運転者へ、リング２６５の飛び出し量Ｄｇが次第に増加していく様子を、適宜視認させることができる。したがって、車両用表示装置２００は、目盛り６２及び指針６４等の立体視を容易にする効果を確実に発揮することができる。
【００７０】
尚、第二実施形態において、情報画像２５０、オープニング画像２５６，及び慣らし画像２５７が特許請求の範囲に記載の「画像」に相当し、一連のオープニング画像２５６及び一連の慣らし画像２５７が特許請求の範囲に記載の「一連の画像」に相当し、目盛り６２及び指針６４に加えてリング２６５が特許請求の範囲に記載の「意匠」に相当する。
【００７１】
（第三実施形態）
図１５〜図１７に示される本発明の第三実施形態は、第二実施形態の変形例である。第三実施形態のオープニング画像３５６では、第二実施形態のリング２６５（図１０Ａ参照）に替えて、図１５Ａに示されるように、表示画面３１の水平方向及び垂直方向のそれぞれに延びる帯状の画像部を画面中央にて交差させてなるクロス３６５が表示される。クロス３６５は、図１６に示されるように、飛び出し量Ｄｇ（図１７参照）を実質的に有しない二次元の画像部として表示される。そして、クロス３６５は、図１５Ｂ及び図１７に示されるように、飛び出し量Ｄｇを次第に増加させつつ、表示画面３１に対し傾斜する。
【００７２】
クロス３６５は、飛び出し量Ｄｇ及び傾斜を最大とした後も、継続して表示画面３１に表示される。クロス３６５は、図１５Ｃに示されるように、車両の進行方向を示す矢印アイコン３６２と組み合わされることにより、交差点等の経路を誘導する簡易のナビゲーション画像３５０（所謂、ターン・バイ・ターン画像）を形成する。以上のようなクロス３６５を視認することによって運転者の目が立体視に慣らされるので、第三実施形態は、上述した各実施形態と同様の効果を発揮することができる。
【００７３】
尚、第三実施形態において、ナビゲーション画像３５０及びオープニング画像３５６が特許請求の範囲に記載の「画像」に相当し、一連のオープニング画像３５６が特許請求の範囲に記載の「一連の画像」に相当し、クロス３６５及び矢印アイコン３６２が特許請求の範囲に記載の「意匠」に相当する。
【００７４】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００７５】
上記実施形態におけるオープニング画像及び慣らし画像では、各「意匠」の飛び出し量は、一旦消失させられた後、次第に拡大されていた。しかし、オープニング画像及び慣らし画像における各「意匠」は、運転者に違和感を生じさせない程度に飛び出し量を低減された後、この飛び出し量を次第に拡大させるものであってもよい。
【００７６】
上記第一実施形態において、推定部は、機関の始動信号を取得したことに基づいて、運転者における表示画面への視線移動を推定していた。このような機関の始動信号は、車両に搭載される機関の種別に応じて適宜変更されてよい。具体的には、上述のようなハイブリッド方式の機関、アイドリングストップ可能な内燃機関、及び電動のモータ等が搭載された車両では、所謂イグニッションスイッチの操作のみにて、これらの機関は始動しない。故に、これらの車両においては、機関を始動可能にするための操作入力に基づく信号が、始動信号とみなされてよい。
【００７７】
上記第二実施形態において、推定部は、運転席のドアを開けた旨を示す信号を乗車信号とし、当該乗車信号に基づいて、運転者における表示画面への視線移動を推定していた。しかし、乗車信号は、ドアを開ける操作に基づく信号に限定されない。例えば、運転席のシートベルトの装着に基づいてシートベルトセンサから出力される信号、及び運転席への運転者の着座に基づいて着座センサから出力される信号等が、乗車信号として適宜用いられてよい。
【００７８】
上記実施形態では、運転者の目を立体視に慣らすための「意匠」として、ロゴマーク及びリング等が例示された。しかし、オープニング画像及び慣らし画像に含まれて、運転者の目を立体視に慣らすための「意匠」の形状及び色彩等は、適宜変更されてよい。例えば、車両の外観を模したモデルが上述の「意匠」とされてもよい。加えて「意匠」の飛び出し量を増大させる時間は、上記実施形態の時間（２秒程度）に限定されない。オープニング画像及び慣らし画像として再生されるアニメーションの構成に対応して、飛び出し量を増大させる時間は、適宜変更されてよい。
【００７９】
さらに、オープニング画像又は慣らし画像として、複数種類の動画データをディスプレイ制御回路等に予め記憶させておく。そうしたうえで、運転者が、オープニング画像及び慣らし画像として再生される動画を、複数種類の動画の中から選択可能であってもよい。また、運転者等の操作に基づいてオープニング画像及び慣らし画像を表示させるリプレイボタン等の操作入力部が、車両用表示装置に設けられていてもよい。
【００８０】
上記実施形態において、オープニング画像におけるロゴマーク等の「意匠」は、運転者の知覚上において、運転者側に向けて加速しつつ移動していた。しかし、飛び出し量の増加する「意匠」の具体的な動きは、適宜変更されてよい。例えば、車両用表示装置は、運転者の知覚上において、一定の速度にて運転者に近づく「意匠」を表示してもよく、又は点滅しつつ段階的に運転者に近づく「意匠」を表示してもよい。
【００８１】
上記実施形態において、「意匠」につき運転者の知覚する仮想のずれは、表示画面に対して運転者側に飛び出す方向に設けられていた。しかし、「意匠」の仮想のずれは、表示画面を挟んで運転者とは反対の方向に設けられていてもよい。さらに、複数の「意匠」を含み、複数の「意匠」のうちの一つを運転者側に移動させつつ、他の一つを運転者とは反対側に移動させる一連の画像が、オープニング画像又は慣らし画像として表示されてもよい。
【００８２】
上記第二実施形態において、撮影画像を撮影するカメラは、可視光を感知する可視光カメラであってもよく、近赤外線を感知する近赤外線カメラ等であってもよい。加えて、情報処理回路は、上述のカメラによる撮影画像を解析することで得られる運転者の視線方向に基づいて、オープニング画像を表示させる指令信号をディスプレイ制御回路に出力してもよい。
【００８３】
上記第二実施形態では、運転者の視線が５分以上表示画面から外されていた場合に、情報処理回路は、慣らし画像を表示させる旨の指令信号をディスプレイ制御回路に出力した。しかし、慣らし画像の表示を指示する閾値となる所定の時間は、適宜変更されてよい。加えて、上述の所定の時間は、運転者の操作入力に基づいて、適宜変更されてよい。
【００８４】
上記実施形態において、情報画像は、オープニング画像及び慣らし画像の終了後に、表示画面に表示されていた。しかし、機関の始動後すぐに運転者が車両を走行させる場合では、表示画面の表示は、オープニング画像等から情報画像に切り換えられることが望ましい。故に、情報処理回路は、シフトレバーの位置が変更されたことを示す信号、車速がゼロから変化したことを示す信号等を検知することにより、表示画面にオープニング画像を表示中であっても、この画像から情報画像に切り換えさせてもよい。
【００８５】
上記実施形態では、「意匠」を立体視させることが可能な「表示手段」として、液晶パネル３５とレンチキュラレンズ３３等とを組み合わせてなる液晶ディスプレイ３０が用いられていた。しかし、「表示手段」は、「意匠」を視認者に三次元で立体視させることが可能であれば、上記の構成に限定されない。例えば、「表示手段」は、特定の一方向からのみの立体視を実現するディスプレイであってもよく、又は、複数の方向からの立体視を実現する多視差タイプのディスプレイであってもよい。加えて、「表示手段」は、視認者に装着されて左右の目に対応するシャッタが開閉する立体視用の眼鏡、この眼鏡のシャッタと同期して表示画面に左右の画像を交互に表示する液晶パネルとを備える構成であってもよい。又は、「表示手段」は、上記実施形態のレンチキュラレンズ３３に替えて、鉛直方向に延びるスリットが水平方向に間隔を開けて複数形成された遮光バリアを備えることにより、視認者の裸眼立体視を可能とする、所謂パララックスバリア方式の表示装置であってもよい。
【００８６】
上記実施形態では、所定のプログラムを実施する情報処理回路２０及びディスプレイ制御回路１０によって、特許請求の範囲に記載の「視線推定手段」及び「表示制御手段」に相当する機能が、それぞれ果たされていた。しかし、これらの手段に相当する構成は、上記のものに限定されず、適宜変更されてよい。例えば、「視線推定手段」及び「表示制御手段」は、一つの回路又は装置であってもよく、或いは複数の回路又は装置を適宜組み合わせたものであってもよい。加えて、これらの回路又は装置は、上記実施形態の各回路１０，２０のようなプログラムを実行することにより所定の機能を果たす構成であってもよく、又はプログラムによらないで所定の機能を果たす構成であってもよい。
【符号の説明】
【００８７】
１０  ディスプレイ制御回路、２０  情報処理回路（視線推定手段）、２２１  画像取得部、２２２  画像解析部、２４  検出部、２５  推定部、３０  液晶ディスプレイ（表示手段）、３１  表示画面、３３  レンチキュラレンズ、３５  液晶パネル、３６  左目用画素、３７  右目用画素、２４０  カメラ、２４１  撮影画像、５０，２５０  情報画像（画像）、３５０  ナビゲーション画像（画像）、５１  左目用画像、５２  右目用画像、２５３  マルチインフォメーション表示部、５４  スピードメータ表示部、５５  パワメータ表示部、２５５  タコメータ表示部、５６，２５６，３５６  オープニング画像（画像）、２５７  慣らし画像（画像）、６０  意匠、６１  デジタル表示部（意匠）、６２  目盛り（意匠）、３６２  矢印アイコン（意匠）、６３  数字、６４  指針（意匠）、２６５  リング（意匠）、３６５  クロス（意匠）、６６  ロゴマーク（意匠）、６７，６８  像、６９  視認対象物、７０  車内ＬＡＮ、１００，２００  車両用表示装置、ＦＰ  焦点位置、ＰＰ  知覚位置、θｃ  輻輳角、Ｄｅｆ  左右の目から焦点位置までの距離、Ｄｅｐ  左右の目から知覚位置までの距離、Ｄｇ  飛び出し量（表示画面からの意匠の仮想のずれ）、ＬＥ  左目、ＲＥ  右目
【図１】
0005510431.tif 000002
【図２】
0005510431.tif 000003
【図３】
0005510431.tif 000004
【図４】
0005510431.tif 000005
【図５】
0005510431.tif 000006
【図６】
0005510431.tif 000007
【図７】
0005510431.tif 000008
【図８】
0005510431.tif 000009
【図９】
0005510431.tif 000010
【図１０】
0005510431.tif 000011
【図１１】
0005510431.tif 000012
【図１２】
0005510431.tif 000013
【図１３】
0005510431.tif 000014
【図１４】
0005510431.tif 000015
【図１５】
0005510431.tif 000016
【図１６】
0005510431.tif 000017
【図１７】
0005510431.tif 000018